(57)【特許請求の範囲】
【請求項１】
ミキサー容器（１）の底部（１０）に、ミキサーカッター（２）を設け、
ミキサーカッターの回転速度を毎分１５０００〜２５０００回転とし、
粥やご飯または米をミキサー本体で粉砕しミキサー粥とする
ミキサー食製造機であって、
前記ミキサーカッター（２）は、
回転軸（３）と軸支持部（４）とブレード部（５）とを有しており、
前記回転軸（３）には、
前記ブレード部（５）のブレード中心（５０）を固定する、ブレード固定部（３０）が
設けられており、
前記ブレード固定部（３０）が存在する略水平平面（Ｈ）を境界として、
ブレード固定部上側領域（ＨＵ）とブレード固定部下側領域（ＨＤ）とが設定されており、
前記軸支持部（４）の外側（４０）は、円錐台形状に形成されており、
円錐台形状とした軸支持部（４）の高さ（Ｔ４）を、２０ｍｍ〜４０ｍｍとし、
前記軸支持部（４）の内部（４１）には、
前記回転軸（３）用のベアリング（３１）を設けると共に、空間（４２）を設け、
前記回転軸（３）からの熱を断熱させるものとし、
前記ブレード部（５）は、
前記略水平平面（Ｈ）と固定部下側領域（ＨＤ）のみを移動する、
水平刃（６）と下反角付刃（７）とを有しており、
前記水平刃（６）は、略水平に設けられ、
前記下反角付刃（７）は、
前記円錐台形状に沿う形状であると共に間隔（Ｌ）を空けて設けられ、
前記下反角付刃（７）の先端は、フランジ部（４３）近傍を移動するものとした
ことを特徴とするミキサー食製造機。
【請求項２】
前記軸支持部（４）外側（４０）の表面と下反角付刃（７）の先端との
間隔（Ｌ）を１．５ｍｍ〜５．５ｍｍとし、
軸支持部（４）の頂上からブレード中心（５０）までの高さ（Ｔ３０）を
４ｍｍ〜７ｍｍとした
ことを特徴とする請求項１記載のミキサー食製造機。
【発明の詳細な説明】
【技術分野】
【０００１】
本発明は、食品や飲料などを混合するミキサーに設けられるミキサーカッターとこのミキサーカッターを設置したミキサー食製造機に関するものである。
【背景技術】
【０００２】
従来、ミキサーは、食材、食材と液体の混合物、かき氷などを作るのに利用されている。一般的にミキサーは、ミキサー容器と、ミキサー容器低部に設けるミキサーカッターとを少なくとも持つものである。本来、ミキサーの利用方法は、最適な容量のミキサー容器を設定して、使用することが想定されていたものである。
【０００３】
しかしながら、容量の異なるミキサー容器やミキサー本体を常備しておくことは困難であった。その結果、目的量に対して容量の大きいミキサーを利用すると作成した粘流体が勢いで上方へ移動し混合が困難となった。すなわち、ブレード固定部上側領域の刃が粘流体を上方に巻き上げてしまい、破壊混合を行なわなければいけない食材の固体が残ってしまうものであった。（例えば特許文献１）
【先行技術文献】
【特許文献】
【０００４】
【特許文献１】特開２００３ー１４９５６号公報
【発明の概要】
【発明が解決しようとする課題】
【０００５】
そこでこの発明は、目的量よりも大きい容量のミキサーを用いる場合であっても、粘流体が上方へ移動せずミキサーカッター付近に留まり対象物を混合可能なミキサーカッターを提供することを目的とする。
【課題を解決するための手段】
【０００６】
上記目的を達成するために本件発明は以下の手段を用いた。
【０００７】
（請求項１記載の発明）
請求項１記載の発明は、ミキサー容器の底部に、ミキサーカッターを設け、ミキサーカッターの回転速度を毎分１５０００〜２５０００回転とし粥やご飯または米をミキサー本体で粉砕しミキサー粥とするミキサー食製造機であって、前記ミキサーカッターは、回転軸と軸支持部とブレード部とを有しており、前記回転軸には、前記ブレード部のブレード中心を固定する、ブレード固定部が設けられており、前記ブレード固定部が存在する略水平平面を境界として、ブレード固定部上側領域とブレード固定部下側領域とが設定されており、前記軸支持部の外側は、円錐台形状に形成されており、円錐台形状とした軸支持部の高さを、２０ｍｍ〜４０ｍｍとし、前記軸支持部の内部には、前記回転軸用のベアリングを設けると共に、空間を設け、前記回転軸からの熱を断熱させるものとし、前記ブレード部は、前記略水平平面と固定部下側領域のみを移動する、水平刃と下反角付刃とを有しており、前記水平刃は、略水平に設けられ、前記下反角付刃は、前記円錐台形状に沿う形状であると共に間隔を空けて設けられ、前記下反角付刃の先端は、フランジ部近傍を移動するものとしたことを特徴とする。
【０００８】
（請求項２記載の発明）
請求項２記載の発明は、請求項１記載のミキサー食製造機であって、前記軸支持部外側の表面と下反角付刃の先端との間隔を１．５ｍｍ〜５．５ｍｍとし、軸支持部の頂上からブレード中心までの高さを４ｍｍ〜７ｍｍとしたことを特徴とする。
【発明の効果】
【０００９】
（請求項１記載の発明の効果）
請求項１記載の発明は、従来技術のようにブレード固定部上側領域にブレード部の刃が存在せず、ブレード部は固定部下側領域のみを移動する。したがって、ミキサー容器内の粘流体を巻き上げる力が小さく、ミキサー容器より少ない容量であっても食材や流体の破壊混合することができるものである。
さらに、この発明は、前記軸支持部の外側が円錐台形状に形成され、下反角付刃がそれに沿う形状である。これによって局部的に流体の挙動が乱れる現象は発生せず、吹き溜まりのような渦により混合が妨げられないものである。
【００１０】
円錐台形状とした軸支持部とすると、ミキサー底部に存在する物体が下反角付刃の切断混合位置に移動し、少量の対象物（食物、飲料など）でも均一な破壊混合が可能となる。
介護や乳児の育児においては、ミキサーで食品を予め粉砕し、消化を良くすることが多い。
例えば、全粥は、澱粉質の経時変化が大きく、粒があり不均一な食物である。このことから重度の嚥下障害者には適していない。これに対して、ミキサーを用いて作成された粥（通称ミキサー粥）は、粘りがなく乳児や病人や老人が飲み込み易く、近年注目されている。このような事情から、ミキサー食製造機が開発されている。このミキサーカッターを用いたミキサー食製造機は、前述のミキサー粥などを提供するのに最適である。
さらに、このミキサー食製造機は、回転軸の熱によりベアリングが焦げる問題を空間の冷却作用により解消し、ブレード部の高速回転を可能とすることができる。
【００１１】
（請求項２記載の発明の効果）
軸支持部の外側表面と下反角付刃との間隔は、請求項２記載の数値に設定するのが好ましい。
このように設定すると、回転時に下反角付刃の先端付近の滞留する食材が少なくなる、また、支持部の頂点と刃の取付け部との空間は処理物が堆積しにくくなり、混合しやすく使用後の洗浄もしやすくなる。
【図面の簡単な説明】
【００１２】
【図１】図１は、ミキサー本体の全体図である。
【図２】図２は、ミキサー本体の分解斜視図である。
【図３】図３は、ミキサーカッターの全体斜視図である。
【図４】図４は、回転軸と軸支持部の部分断面図である。
【図５】図５は、ミキサーカッター側面の部分断面図である。
【図６】図６は、ミキサーカッター正面の部分断面図である。
【図７】図７は、ブレード部の（ａ）上面図（ｂ）側面図（ｃ）正面図である。
【図８】図８は、この発明を実施するための意匠形態の意匠図面である。
【発明を実施するための形態】
【００１３】
以下にこの発明のミキサーカッター及び前記ミキサーカッターを設けたミキサー食製造機を実施例として示す各図と共に説明する。
【実施例１】
【００１４】
〔１．ミキサー本体Ｍについて〕
この発明に記載のミキサー（ｍｉｘｅｒ）とは、英語ではブレンダー（ｂｌｅｎｄｅｒ）と呼ばれる装置であり、ジュースやスープやかき氷等を作る時に、果物や野菜や氷等を非常に細かく砕く為の装置である。したがって、米国等において英語でいうミキサー（泡だて器またはハンドミキサー）とは全く異なるものである。
【００１５】
図１はミキサー本体Ｍの全体図であり、図２はミキサー本体Ｍの分解斜視図である。
ミキサー本体Ｍは、図１および図２に示すように、ミキサー容器１と、ミキサー容器底部１０と、容器下部１１と、動力部カバー１２と、スイッチ類１３と、容器蓋１４と、覗き蓋１５と、ゴムパッキン１６からなる。
ミキサー本体Ｍの内部には、図２に示すように、ミキサー容器底部１０と容器下部１１にかけて、ミキサーカッター２が収納されている。ミキサーカッター２は、ナット２０と、ブレード部５と、軸支持部４と、ダイナリップシール２１と、回転軸３と、複数のベアリング３１と、カップリング２２とによって構成されている。
【００１６】
上述した構成により、ミキサー本体Ｍは、スイッチ類１３を操作することによって、ブレード部５を回転させ、果物や野菜や氷や粥などを粉砕し、粘流動体を作成するものである。
特に、粥やご飯または米をミキサー本体で粉砕し、作成した流動食（ミキサー粥）は、乳児の離乳食用や、病人や老人の食事用として用いられている。
ミキサー容器１の容量は、１０００ｃｃ〜２０００ｃｃとするのが好ましい。
【００１７】
〔２．ミキサーカッター２について〕
図３はミキサーカッター２の全体斜視図である。図４は回転軸３と軸支持部４の部分断面図である。図５はミキサーカッター２側面の部分断面図である。図６はミキサーカッター２正面の部分断面図である。
ミキサーカッター２は、図２〜図６に示すように、ミキサー容器底部１０に設けられ、軸支持部４と、軸支持部４の中心を貫通する回転軸３と、回転軸３に貫通されたブレード部５中心５０を組み合わせたものである。
ナット２０が回転軸３に螺着されており、ブレード部５は回転軸３によって回転するものである。回転軸３はカップリング２２に接続されたモーターなどの動力によって回転するものである。
【００１８】
〔３．回転軸３について〕
回転軸３は真っ直ぐな軸であり、図４に示すように、ブレード部５を取り付けるためのブレード固定部３０と、ナット２０に対し雄部材として螺着されるナット締結部３２と、カップリング２２に対して雄部材として螺着されるカップリング締結部３３を有する。
そして、回転軸３の周囲には、粘流体の侵入を防ぐダイナリップシール２１、軸支持部４との摩擦を軽減させるベアリング３１が設けられている。ベアリング３１は、２つ設けるのが好ましい。
【００１９】
ダイナリップシール２１はオイルシールであり、ダイナリップシール２１の外周にはシールリング２３が設けられている。シールリング２３には、ＰＴＦＥシールリング（ポリテトラフルオロエチレンシールリング）、ＰＴＦＥ被覆シールリングを用いるのが好ましい。このようなＰＴＦＥ系シールリングを用いると良い。ＰＴＦＥはテフロン（登録商標）として知られており、ＰＴＦＥを用いるとシールリング２３の摩擦を小さくすることができ、長期間利用可能なミキサーとなる。
【００２０】
〔４．略水平面Ｈについて〕
ミキサー本体１を水平な台に置くと、回転軸３は垂直な状態となる。この時、回転軸３のブレード固定部３０のある位置を基準として、略水平面Ｈを設定する。この発明における略水平とは、水平面に水平刃６のフラッピングによる上下動の幅を含ませた概念である。
この略水平面Ｈは、図４に示すように、ブレード固定部上側領域Ｈｕとブレード固定部下側領域Ｈｄとの境界面となるものである。
ブレード固定部上側領域Ｈｕはミキサー容器２の中心付近で終了し、ブレード固定部下側領域Ｈｄは、後述する軸支持部４のフランジ部４３付近で終了する。
【００２１】
〔５．軸支持部４について〕
軸支持部４は、図２に示すように、ミキサー容器底部２にフランジ部４３によって設置されるものである。軸支持部４の外側４０は、図４に示すように稜線の傾斜角は６５°の円錐台形状に形成されている。図４に示す軸支持部４の高さＴ４を、２０ｍｍ〜４０ｍｍとするのが好ましい。前述の比率であると、ミキサー容器１内に入れる食物等が少ない場合であっても、ムラのない破壊混合が可能となる。
【００２２】
軸支持部４の内部４１は、図４に示すように、空間４２が形成されている。空間４２はフランジ部４３を通過し、下側に空気が流れる態様であると共に、ベアリング３１を囲む態様で形成されている。
この空間４２によって、回転軸３およびベアリング３１から発生した熱は、放出される。熱放出を可能な形状としたことによって、回転軸３の回転数を、毎分１５０００〜２５０００回転の高速回転に設定することができる。
【００２３】
〔６．ブレード部５について〕
図７はブレード部５の（ａ）上面図（ｂ）側面図（ｃ）正面図である。
ブレード部５は、図７に示すようにブレード部中心５０に長孔を有している。
この長孔は前述のナット締結部３２を通過するものであり、ブレード部中心５０はナット２０によってブレード固定部３０の位置に固定される。図４に示す軸支持部４の頂上からブレード中心５０までの高さＴ３０を４ｍｍ〜７ｍｍとするのが好ましい。
【００２４】
前記ブレード部５は、図５〜図７に示すように、水平刃６と下反角付刃７とを有しており、水平刃６は略水平に設けられ、下反角付刃７は円錐台形状の軸支持部４に沿う形状である。
軸支持部４外側４０の表面と下反角付刃７の先端との間隔Ｌは、１．５ｍｍ〜５．５ｍｍとするのが好ましい。間隔Ｌが前述のような値であると、軸支持部４の外側４０周辺と下反角付刃７の先端付近の平行距離が狭くなり、ブレード部５の回転時に滞留する食材が少なくなる。
また、高さＴ３０が前述の値であると、軸支持部３の上面とブレード固定部３０との空間に、破壊混合の対象物が堆積しにくくなり、使用後に使用者が洗浄しやすくなる。
【００２５】
〔７．各部品の材質および寸法について〕
図１〜図６に基づき、部品の材質および寸法について説明する。
回転軸３には、全長３８．５ｍｍ、直径８ｍｍのＳＵＳ６３０ステンレス鋼材（表面硬度ＨＲＣ４０以上）を用いた。直径８の公差は＋０．００２、−０．００１、表面粗さはＲａ０．２とすることにより安定した回転を可能にしており、結果としてダイナリップシールの摩耗を減らし、長期間利用可能にしている。ブレード固定部３０の溝幅は、１.５ｍｍとした。
軸支持部４には、ＳＵＳ６３０ステンレス鋼材を用いた。フランジ部４３は厚さ５ｍｍ、外径６７．５ｍｍとした。円錐台底面の外径は、４８．５ｍｍとした。円錐台上面の外径は３０ｍｍとし、角部にテーパー加工を施した。円錐台上面に設けられた、回転軸３が挿通する孔は、外径１２ｍｍとした。空間４２は、内径２６ｍｍとし、最大外径４０．５ｍｍを徐々に縮径させた。
【００２６】
カップリング２２およびベアリング３１は、外径２２のものを用いた。
ベアリング３１は内外輪がステンレス鋼材で内径８ｍｍ、厚み７ｍｍとした。シール形状は両側接触ゴムシール型とし、潤滑剤は食品衛生法に対応したグリスを使用した。
【００２７】
図７（ａ）〜（ｃ）に基づき、部品の材質および寸法について説明する。
ブレード部５は、焼き入れ硬度ＨＲＣ４０〜４５のＳＵＳ４２０Ｊ２ステンレス鋼材を用い、厚さは１．５ｍｍとし、刃６０および刃７０の刃先角は３５°とした。水平刃６は全長５８ｍｍとし、折り曲げられている下反角付刃７は全長７８ｍｍとした。
ブレード部中心５０の長孔は、６ｍｍ×５ｍｍとし、短辺を弧状とした。
図７（ｂ）に示す下反角付刃７の曲げ角度θを１１５°とし、Ｒを６．５とした。
【産業上の利用可能性】
【００２８】
この発明は、介護施設などにおいて１〜３人の介護者に対するミキサー食を製造するのに、非常に適している。すなわち、栄養を厳重に管理しなければならない一人分ミキサー食も、同時に複数人分を用意しなければならない数人分も、このミキサーカッターを用いたミキサーであれば、一台で製造することができる。
その他、一般家庭用においても、米、ひじき、野菜などのミキサー食を製造するのに利用できる。
【符号の説明】
【００２９】
１      ミキサー容器（１）
１０    底部１０
２      ミキサーカッター
３      回転軸
３０    ブレード固定部
３１    ベアリング
４      軸支持部
４０    外側
４１    内部
４２    空間
５      ブレード部
５０    ブレード中心
６      水平刃
７      下反角付刃
Ｈ      略水平平面
ＨＵ    ブレード固定部上側領域
ＨＤ    ブレード固定部下側領域
Ｌ      間隔
Ｔ４    軸支持部の高さ
Ｔ３０  軸支持部の頂上からブレード中心までの高さ
【図１】
0005273417.tif 000002
【図２】
0005273417.tif 000003
【図３】
0005273417.tif 000004
【図４】
0005273417.tif 000005
【図５】
0005273417.tif 000006
【図６】
0005273417.tif 000007
【図７】
0005273417.tif 000008
【図８】
0005273417.tif 000009